(57)【特許請求の範囲】
【請求項１】
電気接続用の接続部と光コネクタ接続用の光アダプタを備えた耐火光コンセントであって、
当該耐火光コンセントは、中央の縦長の開口部を介して、モジュラージャックやアンテナ端子等を取付け固定した状態で、室内壁板に設けられた開口部に装着固定されるアダプタベースと、
モジュラージャックやアンテナ端子等を含む電気接続のための接続部及び前記光アダプタに対する光コネクタ挿入用の開口部を設けて成る化粧パネルと、
前記アダプタベース及び室内壁板の開口部相互間に生じた隙間を覆うよう前記アダプタベースと前記化粧パネルとの間に介装させた耐火プレートと、
を備え、
前記耐火プレートは、アダプタベース及び化粧パネルの各開口部に対応して、中央に縦長矩形状の開口部が形成され、当該耐火プレートの一端側縁部はネジ等の取付け部材によって前記アダプタベースに固定され、
前記耐火プレートの他端側縁部には、当該耐火プレートの中央に開口部が１個形成された単式耐火光コンセントにあっては、前記室内壁板の開口部と前記アダプタベースとの間に形成された隙間を塞ぐことを可能とすべく、前記室内壁板の開口部の縁部に当接するよう下向傾斜した遮蔽面部が形成され、
一方、中央に１個の開口部を有する耐火プレートを順次並設した多連式耐火光コンセントにあっては、前記室内壁板の開口部と前記アダプタベースに並設された電気器具取付板の間に形成された隙間を塞ぐことを可能とすべく、前記室内壁板の開口部の縁部に当接するよう略垂直に折曲げられたフランジ部が形成されるとともに、該フランジ部外面には係止爪が設けられ、さらに前記多連式耐火光コンセント用の化粧パネルの裏面に前記耐火プレート全体と略同大の開口部を備えたフレームが配設され、
且つ該フレームの開口部に前記フランジ部の係止爪を引掛け係止することで前記耐火プレートが前記フレームに固定されるように形成したことを特徴とする耐火光コンセント。
【発明の詳細な説明】
【技術分野】
【０００１】
本発明は、屋内に引き込まれた光屋外線または光屋内線と宅内光コードとの接続に使用する光コンセントにおいて、宅内で起きた火災に対する防護機能を備えた耐火光コンセントに関する。
【背景技術】
【０００２】
従来、本願出願人により先に出願し、その後、特許登録となった特許文献１に示す光コンセントが公知である。
【０００３】
而して、この特許文献１に記載されている光コンセントは、下記の構成および機能を備えている。すなわち、図８に示すように、中央の縦長の開口部２Ａを介して、例えばＬＡＮ用モジュラージャックＭ１、電話用モジュラージャックＭ２、ＴＶ用アンテナ端子Ｍ３等を取付け固定した状態で、室内壁板Ｐに設けられた開口部Ｐ１に装着後、当該壁板Ｐにネジ止め固定されるネジ孔２ｂ、２ｃ、２ｄ、２ｅを有するアダプタベース２と、該アダプタベース２に前面から取付けられ、前記ＬＡＮ用モジュラージャックＭ１、電話用モジュラージャックＭ２、ＴＶ用アンテナ端子Ｍ３等の電気接続のための複数口の例えば３個が縦一列となった接続部（図示せず）を形成して成る１口型（単式）の化粧パネル１とを備えている。
【０００４】
また、この特許文献１には、他の実施形態として、図９に示すように、前記した構成のアダプタベース２に加えて、中央の縦長の開口部２Ｂを介して、３個の電源用コンセントＭ４を縦一列となって取付け固定した配線器具取付板２′が並設された状態で、室内壁板Ｐに設けられた開口部Ｐ１に装着され、前記ＬＡＮ用モジュラージャックＭ１、電話用モジュラージャックＭ２、ＴＶ用アンテナ端子Ｍ３等の電気接続のための３個が縦一列となった接続部４と、前記電源用コンセントＭ４の電気接続のための３個が縦一列となった接続部４′が形成されて成る２口型（二連タイプ）の化粧パネル１も提案されている。
【０００５】
尚、前記アダプタベース２には、例えば光回線終端装置（ＯＮＵ：Ｏｐｔｉｃａｌ  Ｎｅｔｗｏｒｋ  Ｕｎｉｔ）側の光コネクタと使用者側の光コネクタとの二つの光コネクタ同士を接続するためのシャッタ機構Ｑを備えた光アダプタ５が当該アダプタベース２に形成されている保持爪部Ｈによって把持された状態で配されている。
【先行技術文献】
【特許文献】
【０００６】
【特許文献１】特許第５３９０５８２号公報
【発明の概要】
【発明が解決しようとする課題】
【０００７】
しかしながら、前記した特許文献１の場合、アダプタベース２または配線器具取付板２′と、室内壁板Ｐの開口部Ｐ１、特に、アダプタベース２の光コネクタ接続部が配設される箇所とは反対側においては、施工時での室内壁板Ｐの開口部Ｐ１と、当該開口部Ｐ１内側に埋め込み設置される不図示のアウトレットボックスとの配置関係で隙間Ｖが生じてしまう場合があった。
【０００８】
このように前記開口部Ｐ１とアダプタベース２との間（図８参照）、または前記開口部Ｐ１と配線器具取付板２′との間（図９参照）に隙間Ｖが形成されてしまうため、もしも宅内で火災が発生した場合は、その火熱が当該隙間Ｖを通って外部へ漏出してしまう虞があった。因みに、前記した化粧パネル１は、火熱で瞬時に溶融してしまう薄板のプラスチック材で形成されているため、防火用遮熱材としての機能性に乏しいものであった。
【０００９】
そこで、本発明は、叙上のような従来存した諸事情に鑑み案出されたもので、アダプタベースまたは配線器具取付板と、室内壁板の開口部との間の隙間を通して火熱が外部へ漏出してしまうのを防止し、宅内で起きた火災に対する防護機能を確実なものとした耐火光コンセントを提供することを目的とする。
【課題を解決するための手段】
【００１０】
上述した課題を解決するために、本発明にあっては、電気接続用の接続部と光コネクタ接続用の光アダプタを備えた耐火光コンセントであって、
当該耐火光コンセントは、中央の縦長の開口部を介して、モジュラージャックやアンテナ端子等を取付け固定した状態で、室内壁板に設けられた開口部に装着固定されるアダプタベースと、
モジュラージャックやアンテナ端子等を含む電気接続のための接続部及び前記光アダプタに対する光コネクタ挿入用の開口部を設けて成る化粧パネルと、
前記アダプタベース及び室内壁板の開口部相互間に生じた隙間を覆うよう前記アダプタベースと前記化粧パネルとの間に介装させた耐火プレートと、
を備え、
前記耐火プレートは、アダプタベース及び化粧パネルの各開口部に対応して、中央に縦長矩形状の開口部が形成され、当該耐火プレートの一端側縁部はネジ等の取付け部材によって前記アダプタベースに固定され、
前記耐火プレートの他端側縁部には、当該耐火プレートの中央に開口部が１個形成された単式耐火光コンセントにあっては、前記室内壁板の開口部と前記アダプタベースとの間に形成された隙間を塞ぐことを可能とすべく、前記室内壁板の開口部の縁部に当接するよう下向傾斜した遮蔽面部が形成され、
一方、中央に１個の開口部を有する耐火プレートを順次並設した多連式耐火光コンセントにあっては、前記室内壁板の開口部と前記アダプタベースに並設された電気器具取付板の間に形成された隙間を塞ぐことを可能とすべく、前記室内壁板の開口部の縁部に当接するよう略垂直に折曲げられたフランジ部が形成されるとともに、該フランジ部外面には係止爪が設けられ、さらに前記多連式耐火光コンセント用の化粧パネルの裏面に前記耐火プレート全体と略同大の開口部を備えたフレームが配設され、
且つ該フレームの開口部に前記フランジ部の係止爪を引掛け係止することで前記耐火プレートが前記フレームに固定されるように形成したことを特徴とする。
【発明の効果】
【００１１】
本発明によれば、アダプタベースまたは配線器具取付板と、室内壁板の開口部との間の隙間を通して火熱が外部へ漏出してしまうのを防止し、宅内で起きた火災に対する防護機能を確実なものとすることができる。
【００１２】
すなわち、本発明にあっては、電気接続用の接続部と光コネクタ接続用の光アダプタを備えた耐火光コンセントであって、
当該耐火光コンセントは、中央の縦長の開口部を介して、モジュラージャックやアンテナ端子等を取付け固定した状態で、室内壁板に設けられた開口部に装着固定されるアダプタベースと、
モジュラージャックやアンテナ端子等を含む電気接続のための接続部及び前記光アダプタに対する光コネクタ挿入用の開口部を設けて成る化粧パネルと、
前記アダプタベース及び室内壁板の開口部相互間に生じた隙間を覆うよう前記アダプタベースと前記化粧パネルとの間に介装させた耐火プレートと、
を備えて成るので、
前記アダプタベースと、室内壁板の開口部との間の隙間を通して火熱が外部へ漏出してしまうのを確実に防止することができる。
【００１３】
前記耐火プレートは、アダプタベース及び化粧パネルの各開口部に対応して、中央に縦長矩形状の開口部が形成され、当該耐火プレートの一端側縁部はネジ等の取付け部材によって前記アダプタベースに固定されて成るので、アダプタベースに対する耐火プレートの取付施工が容易且つ迅速に行える。
【００１４】
すなわち、前記耐火プレートの開口部の他端側縁部には、当該耐火プレートの中央に開口部が１個形成された単式耐火光コンセントにあっては、前記室内壁板の開口部とアダプタベースとの間に形成された隙間を塞ぐことが可能な遮蔽面部が下向傾斜して形成されて成るので、前記耐火プレートが前記アダプタベースに固定された際には、この遮蔽面部の先端は室内壁板の開口部の縁部に当接する。これにより、前記室内壁板の開口部とアダプタベースとの間に形成された隙間を確実に閉鎖させることができる。
【００１５】
一方、中央に１個の開口部を有する耐火プレートを順次並設した多連式耐火光コンセントにあっては、前記室内壁板の開口部と前記アダプタベースに並設された電気器具取付板の間に形成された隙間を塞ぐことを可能とすべく、前記室内壁板の開口部の縁部に当接するよう略垂直に折曲げられたフランジ部が形成されるとともに、該フランジ部外面には係止爪が設けられ、さらに前記多連式耐火光コンセント用の化粧パネルの裏面に前記耐火プレート全体と略同大の開口部を備えたフレームが配設され、且つ該フレームの開口部に前記フランジ部の係止爪を引掛け係止することで前記耐火プレートが前記フレームに固定されるように形成したので、ＬＡＮ用モジュラージャック、電話用モジュラージャック、ＴＶ用アンテナ端子等の電気接続のための３個が縦一列となった接続部と、前記電源用コンセントの電気接続のための３個が縦一列となった接続部が形成されて成る２口型（二連タイプ）の化粧パネルとすることで、前記室内壁板の開口部と、アダプタベース及び配線器具取付板との間に形成された全ての隙間を確実に塞ぐことができる。３口型（三連タイプ）以上の場合も同様である。
【図面の簡単な説明】
【００１６】
【図１】本発明を実施するための１口型の接続部を備えた単式耐火光コンセントの一例を示す分解斜視図である。
【図２】同じく耐火光コンセントの一例を示し、（ａ）は正面図、（ｂ）は（ａ）のＡ−Ａ断面図、（ｃ）は（ａ）のＢ−Ｂ断面図である。
【図３】本発明を実施するための耐火プレートの一例を示し、（ａ）は正面図、（ｂ）は上面図、（ｃ）は左側面図、（ｄ）は右側面図、（ｅ）は下面図である。
【図４】同じく耐火光コンセントの使用の一例を示すもので、（ａ）は正面図、（ｂ）は化粧パネルを外した状態の正面図、（ｃ）は（ａ）のＣ−Ｃ断面図である。
【図５】本実施形態の変形例における２口型の接続部を備えた二連タイプの耐火光コンセントを示す分解斜視図である。
【図６】同じく本実施形態の変形例における２口型の接続部を備えた耐火光コンセントにおける耐火プレートの一例を示し、（ａ）は正面図、（ｂ）は上面図、（ｃ）は左側面図、（ｄ）は右側面図である。
【図７】同じく本実施形態の変形例における２口型の接続部を備えた耐火光コンセントの使用の一例を示すもので、（ａ）は正面図、（ｂ）は化粧パネルを外した状態の正面図、（ｃ）は（ａ）のＤ−Ｄ断面図である。
【図８】従来例における１口型の接続部を備えた単式光コンセントを示し、（ａ）は化粧パネルを外した状態の正面図、（ｂ）は（ａ）のＥ−Ｅ断面図である。
【図９】従来例における２口型の接続部を備えた二連タイプの光コンセントを示し、（ａ）は化粧パネルを外した状態の正面図、（ｂ）は（ａ）のＦ−Ｆ断面図である。
【発明を実施するための形態】
【００１７】
以下、図面を参照して本発明の実施の一形態を詳細に説明する。
【００１８】
本発明に係る耐火光コンセントは、図１、図２、図４に示すように、中央の縦長の開口部２ａを介して、例えばＬＡＮ用モジュラージャックＭ１、電話用モジュラージャックＭ２、ＴＶ用アンテナ端子Ｍ３等を取付け固定した状態で、室内壁板Ｐに設けられた開口部Ｐ１に装着後、当該壁板Ｐにネジ止め固定されるネジ孔２ｂ、２ｃ、２ｄ、２ｅを有するアダプタベース２を備えている。
【００１９】
そして、該アダプタベース２前面に対しタッピングネジ４５によって取付けられ、前記室内壁板Ｐの開口部Ｐ１とアダプタベース２との間に形成された全ての隙間Ｖを塞ぐ例えば厚さ約０．２ｍｍ程度の金属製、例えばＳＵＳ製の耐火プレート４１を備えている。
【００２０】
すなわち、この耐火プレート４１は、図３に示すように、アダプタベース２の開口部２ａ及び化粧パネル１の開口部６に対応して、中央に縦長矩形状の開口部４１ａが１個形成されると共に、該耐火プレート４１の一端側（左側）縁部には段差状に突き出た縦長のフランジ部４２が形成され、該フランジ部４２の長手方向に沿った上下対称箇所にはタッピングネジ４５を通すための孔部４２ｂが各形成されている。そして、この孔部４２ｂに対応して、前記アダプタベース２の開口部２ａの一端側（左側）縁部には、タッピングネジ４５をタッピングしつつねじ込むための孔部２ｇが上下一対となって形成されている。
【００２１】
また、前記耐火プレート４１の開口部４１ａの他端側（右側）縁部には、前記室内壁板Ｐの開口部Ｐ１とアダプタベース２との間に形成された隙間Ｖを塞ぐのに充分な横幅及び縦幅を有する下向傾斜した遮蔽面部４４が折曲形成されている。さらに、前記耐火プレート４１の開口部４１ａの上下両端側縁部には、若干下向傾斜した小幅のフランジ部４３が折曲形成されている。
【００２２】
前記耐火プレート４１が前記タッピングネジ４５によってアダプタベース２に固定された際には、この遮蔽面部４４の先端は室内壁板Ｐの開口部Ｐ１の縁部に当接する。これにより、前記室内壁板Ｐの開口部Ｐ１とアダプタベース２との間に形成された縦長の隙間Ｖは確実に閉鎖される。
【００２３】
また、本発明に係る耐火光コンセントには、前記耐火プレート４１を覆うようにして前記アダプタベース２に前面から取付けられ、前記ＬＡＮ用モジュラージャックＭ１、電話用モジュラージャックＭ２、ＴＶ用アンテナ端子Ｍ３等の電気接続のための複数口の例えば３個が縦一列となった接続部４を形成して成る１口型（単式）の化粧パネル１を備えている。
【００２４】
本実施形態の場合、化粧パネル１下面に下方に向けて突設された合計４個のフック爪（図示せず）が、アダプタベース２の４箇所に形成されている係止孔部２ｆに各係合されることで、アダプタベース２と化粧パネル１が一体に取り付けられる。これに対応して、前記耐火プレート４１には、図１、図３（ａ）、図４（ｂ）に示すように、化粧パネル１の少なくとも片側の２個のフック爪（図示せず）が各挿通できる２個の孔部４２ｃが形成されている。
【００２５】
前記アダプタベース２一端側（左側）には、例えば光回線終端装置（ＯＮＵ：Ｏｐｔｉｃａｌ  Ｎｅｔｗｏｒｋ  Ｕｎｉｔ）側の光コネクタと使用者側の光コネクタとの二つの光コネクタ同士を接続するためのシャッタ機構Ｑを備えた光アダプタ５が当該アダプタベース２に形成されている一対の保持爪部Ｈによって把持された状態で配されている。
【００２６】
すなわち、前記光アダプタ５は、斜め上方向に向けて開口している一方の嵌合部Ａの開口端にシャッタ機構Ｑを備え、水平方向に開口している他方の嵌合部Ｂの開口端には、光アダプタ５の不使用の場合においては、密閉キャップ５ａ（図１参照）によって閉塞され、一方、光アダプタ５を使用する場合においては嵌合部Ｂから当該キャップ５ａが取り外されて化粧パネル１に取り付けられる。尚、化粧パネル１は、これを１８０°回転しての設置に伴い光アダプタ５の位置を左右いずれかに変更してアダプタベース２に取り付けられるものとしてある。
【００２７】
また、前記光アダプタ５の上側壁におけるシャッタ機構Ｑ寄り側には、略矩形平板突起状の凸部２１を備えるとともに、その上面に自体が光アダプタ５であることを示す表示部２２を備えている。この表示部２２は例えばプラグ挿入方向を示す図示の如きマークや文字等によって形成されるが、他の表示方式によって形成しても良いことは勿論である。そして、前記凸部２１に対応して、化粧パネル１の開口部６が位置する前面には略矩形開口状の窓孔２３が形成されており、該窓孔２３に内側から前記凸部２１が嵌挿されることで、光アダプタ５は化粧パネル１の開口部６内側で収容固定されると同時に、表示部２２が化粧パネル１の表側から窓孔２３を通して視認できるものとなっている。
【００２８】
さらに、前記化粧パネル１には、前記光アダプタ５に対する使用者側光コネクタ接続用の開口部６が化粧パネル１の片側一端における上下対称箇所に設けられ、一方の開口部６が使用可能とされている場合には、他方の開口部６は脱着可能としたキャップ９で閉塞される。
【００２９】
すなわち、このキャップ９は、図１に示すように、開口部６に挿入された際に弾性的に圧潰されるよう略Ｕ字状の可撓片で形成されている。そして、この片側表面には前記した凸部２１と同形の矩形平面突起状の凸部９ａが形成されており、この凸部９ａは前記した略矩形開口状の窓孔２３に対応している。したがって、前記キャップ９が開口部６に挿入された際には、図２（ａ）、図４（ａ）に示すように、窓孔２３に凸部９ａが係合すると同時に、開口部６の上下両縁側にて当該キャップ９は固定される。一方、開口部６から当該キャップ９を取り出す場合には、内側から開口部６外方に向けて当該キャップ９を強制的に押し出せば良い。
【００３０】
なお、図１に示すように、上下対称箇所に設けられた開口部６および窓孔２３に対応して、上下に沿った縦長矩形平面状の貼着部３１を化粧パネル１の片側一端に設け、このうちの使用される開口部６の近傍に対応する貼着部３１に注意喚起シールＳを貼り付ることができる。
【００３１】
また、図１に示すように、前記化粧パネル１の接続部４には、例えば上部のＬＡＮ用モジュラージャックＭ１、下部のＴＶ用アンテナ端子Ｍ３の電気接続位置に対応して、抜き打ち破断可能とした２個のマスクプレート２７が設けられ、このマスクプレート２７の不要な位置のものを内側から押し出し外してから使用する。例えば、２個のマスクプレート２７のうちの１個を抜き外して使用し、残りの１個のマスクプレート２７は付けたまま等とする。
【００３２】
図５乃至図７は、本実施形態の変形例における２口型の接続部を備えた二連タイプの耐火光コンセントの場合を示すものである。尚、前記実施形態の図１乃至図４と同等の部分には同一の符号を付し、適宜説明を省略又は簡略化する。
【００３３】
本変形例では、図５、図６、図７に示すように、前記した構成のアダプタベース２に加えて、中央の縦長の開口部（図示省略）を介して、電源用コンセントＭ４を取付け固定した配線器具取付板２′（図７（ｃ）参照）が並設された状態で、室内壁板Ｐに設けられた開口部Ｐ１に装着される。そして、前記ＬＡＮ用モジュラージャックＭ１、電話用モジュラージャックＭ２、ＴＶ用アンテナ端子Ｍ３等の電気接続のための３個が縦一列となった接続部４と、前記電源用コンセントＭ４の電気接続のための３個が縦一列となった接続部４′が形成されて成る２口型（二連タイプ）の化粧パネル１′を備えている。このとき、化粧パネル１′裏面にはフレーム５３が配設される。このフレーム５３は略耐火プレート４１大の開口部５３ａを備えている。また、このフレーム５３は後述するように前記耐火プレート４１を固定するとともに、アダプタベース２等に寸法上の変更があった場合にスペーサとして使用される。
【００３４】
本変形例では、前記耐火プレート４１が、前記室内壁板Ｐの開口部Ｐ１と、アダプタベース２及び配線器具取付板２′との間に形成された全ての隙間Ｖを塞ぐよう二連に構成されている。すなわち、この耐火プレート４１は、図５、図６、図７（ｂ）に示すように、その右側縁端部に幅狭縦長の中間凹部５２を介して、前記配線器具取付板２′に対応した他の耐火プレート５１が並設され、その中央には、配線器具取付板２′に取り付けられた電源用コンセントＭ４の配設位置に対応すべく縦長矩形状の開口部５１ａが形成されている。また、この耐火プレート５１の右端端縁部は略垂直に折曲げられたフランジ部５１ｂとなっており、その上下対称位置には切り起こし片状の係止爪５１ｃが各形成されている。
【００３５】
前記耐火プレート４１はその一端側縁部（図中左側）が前記タッピングネジ４５によってアダプタベース２に固定される一方、他端側縁部（図中右側）が前記化粧パネル１′裏面に配設されたフレーム５３の開口部５３ａに対して、前記フランジ部５１ｂの各係止爪５１ｃが引掛け係止されることにより、前記フレーム５３に固定されるとともに、前記室内壁板Ｐの開口部Ｐ１と配線器具取付板２′との間に形成された縦長の隙間Ｖが確実に閉鎖される（図７（ｃ）参照）。
【００３６】
尚、前記した単式及び二連タイプの耐火光コンセントの他に、３個の電気接続部４が縦三列となった３口型の化粧パネル１に対応させた三連タイプの耐火光コンセントとしたり、あるいは四連タイプ以上の多連式耐火光コンセントとし、これら電気接続部４の増設に応じて、複数の開口部を有する耐火プレート５１を順次並設することができる。また、前記耐火プレート４１をアダプタベース２に固定する手段として図示例ではタッピングネジ４５を使っているが、これ以外の取付け部材を用いてもよいことは勿論である。
【００３７】
次に、以上のように構成された形態についての使用・動作の一例について説明する。
【００３８】
先ず、図１に示すように、アダプタベース２中央の縦長の開口部２ａを介して、例えばＬＡＮ用モジュラージャックＭ１、電話用モジュラージャックＭ２、ＴＶ用アンテナ端子Ｍ３等を取付け固定した状態（前記変形例における２口型の接続部を備えた二連タイプの耐火光コンセントの場合、更に配線器具取付板２′（図７（ｃ）参照）に電源用コンセントＭ４を取付け固定した状態）で、室内壁板Ｐに設けられた開口部Ｐ１に装着後、当該壁板Ｐにネジ孔２ｂ、２ｃ、２ｄ、２ｅを介してネジ止め固定される。
【００３９】
次いで、耐火プレート４１（前記変形例における２口型の電気接続部４、４′を備えた二連タイプの耐火光コンセントの場合、耐火プレート４１に並設されている他の耐火プレート５１を含む）がアダプタベース２前面に対しタッピングネジ４５によって取付けられる。これによって、図２（ｂ）、図４（ｂ）、図４（ｃ）に示すように、前記室内壁板Ｐの開口部Ｐ１とアダプタベース２（前記変形例においては配線器具取付板２′（図７（ｃ）参照）を含む）との間に形成された全ての隙間Ｖは塞がれる。
【００４０】
そして、前記化粧パネルの左側に設けられた開口部６に光アダプタ５を取り付ける。このとき、光アダプタ５の上側壁における凸部２１を化粧パネル１の開口部６近傍の窓孔２３に嵌挿させることで、光アダプタ５は化粧パネル１の開口部６内側で収容固定されると同時に、自体が光アダプタ５であることを促す例えばプラグ挿入方向を示す図示の如きマークあるいは文字を表示した表示部２２が窓孔２３を通して化粧パネル１の表側から視認できるものとなる。
【００４１】
一方、使用されない他方（上方）の開口部６は脱着可能としたキャップ９で閉塞される。このキャップ９が開口部６に挿入された際には、窓孔２３に凸部９ａが係合してキャップ９は固定される。
【００４２】
必要に応じて、使用される開口部６に対応する貼着部３１には注意喚起シールＳが貼り付けられる。
【００４３】
化粧パネル１の接続部４は、このマスクプレート２７の不要な位置のものを内側から押し出して外して使用する。例えば、２個のマスクプレート２７のうちの１個を抜き取って使用し、残りの１個のマスクプレート２７は付けたまま等とする。
【００４４】
尚、前記した実施形態においては、耐火光コンセントとして、建物内の配管出口に埋め込み設置する光アウトレット構成について説明したが、これに限らず、建物内に露出設置する光ローゼットに本発明による耐火光コンセントを採用しても良い。
【符号の説明】
【００４５】
Ａ                      一方の嵌合部
Ｂ                      他方の嵌合部
Ｐ                      室内壁板
Ｐ１                    開口部
Ｑ                      シャッタ機構
Ｓ                      注意喚起用シール
Ｍ１                    ＬＡＮ用モジュラージャック
Ｍ２                    電話用モジュラージャック
Ｍ３                    ＴＶ用アンテナ端子Ｍ３
Ｍ４                    電源用コンセント
Ｈ                      保持爪部
Ｖ                      隙間
１                      化粧パネル
２                      アダプタベース
２Ａ                    開口部
２Ｂ                    開口部
２′                    配線器具取付板
２ａ                    開口部
２ｂ、２ｃ、２ｄ、２ｅ  ネジ孔
２ｆ                    係止孔部
２ｇ                    孔部
４、４′                接続部
５                      光アダプタ
５ａ                    密閉キャップ
６                      開口部
９                      キャップ
９ａ                    凸部
２１                    凸部
２２                    表示部
２３                    窓孔
２７                    マスクプレート
３１                    貼着部
４１、５１              耐火プレート
５２                    中間凹部
４１ａ、５１ａ          開口部
４２、４３、５１ｂ      フランジ部
４２ｂ                  孔部
４４                    遮蔽面部
４５                    タッピングネジ
５１ｃ                  係止爪
５３                    フレーム
５３ａ                  開口部
【図１】
0006434728.tif 000002
【図２】
0006434728.tif 000003
【図３】
0006434728.tif 000004
【図４】
0006434728.tif 000005
【図５】
0006434728.tif 000006
【図６】
0006434728.tif 000007
【図７】
0006434728.tif 000008
【図８】
0006434728.tif 000009
【図９】
0006434728.tif 000010